(57)【要約】【課題】 擁壁の裏面排水において、簡単な作業で縦横方向での良好な排水を可能とし、強度や耐久性等においても優れた面状排水材の配設構造を提供すること。【解決手段】複数の面状排水材１を擁壁４に沿い連続的に配設するもので、図２に示すように、表面に凹凸を形成することにより連続した空隙を有する長尺帯状の合成樹脂製面状部材３と、該合成樹脂製面状部材３を被覆する透水シート２とを備え、且つ透水シート２の長尺の辺に開口部１０を設けるとともに、該開口部１０の表面側と裏面側の少なくとも一方から透水シート２を外側に延設した面状排水材１を用い、透水シート２の開口部１０同士を突き合わせて面状排水材１を並設するとともに、透水シート２の延設部２０を隣接する面状排水材１の透水シート２上に重合する。【選択図】図１
2006016876.tif 000002
【特許請求の範囲】
【請求項１】
複数の面状排水材を擁壁に沿い連続的に配設する面状排水材の配設構造において、表面に凹凸を形成することにより連続した空隙を有する長尺帯状の合成樹脂製面状部材と、該合成樹脂製面状部材を被覆する透水シートとを備え、かつ透水シートの長尺の辺に開口部を設けるとともに、該開口部の表面側と裏面側の少なくとも一方から透水シートを外側に延設した面状排水材を用い、透水シートの開口部同士を突き合わせて面状排水材を並設するとともに、透水シートの延設部を隣接する面状排水材の透水シート上に重合することを特徴とする面状排水材の配設構造。
【請求項２】
前記面状排水材を、長尺の辺が横になるように配設したことを特徴とする請求項１記載の面状排水材の配設構造。
【請求項３】
前記面状排水材を、長尺の辺が縦になるように配設したことを特徴とする請求項１記載の面状排水材の配設構造。
【請求項４】
合成樹脂製面状部材の凹部の底部及び／又は凸部の頂部に貫通孔を設けたことを特徴とする請求項１、２又は３記載の面状排水材の配設構造。
【請求項５】
合成樹脂製面状部材を、ポリオレフィン系樹脂を主成分として形成したことを特徴とする請求項１、２、３又は４記載の面状排水材の配設構造。
【請求項６】
透水シートを、織布又は不織布により形成したことを特徴とする請求項１、２、３、４又は５記載の面状排水材の配設構造。
【請求項７】
透水シートの織布又は不織布を、合成樹脂繊維で形成したことを特徴とする請求項６記載の面状排水材の配設構造。
【発明の詳細な説明】
【技術分野】
【０００１】
本発明は、土木分野における面状排水材の配設構造に関し、特に、擁壁の裏面排水において、簡単な作業で縦横方向での良好な排水を可能とし、強度や耐久性等においても優れた面状排水材の配設構造に関するものである。
【背景技術】
【０００２】
従来から、土木分野において多種多様な形態の面状排水材が提案され、擁壁の裏面に様々の形態で配設され、排水構造を形成している。
【０００３】
それ等の代表例として、特許文献１には、擁壁にひび割れを生じさせることなく、擁壁の裏面に排水材を確実に固定し、擁壁に掛止した吊り具で擁壁の裏面に重ねられた裏込め用排水材の上端部を吊り下げる面状排水材の配設構造が開示されている。
また、特許文献２には、擁壁の水抜き孔を利用して支持体を取り付け、支持体の相互にワイヤーなどの張線を張設し、擁壁と張線とで排水材を挾む面状排水材の配設構造が開示されている。
【特許文献１】特開平８−１８９３００号公報
【特許文献２】特開昭６３−１１２７６２号公報
【０００４】
しかしながら、特許文献１の面状排水材は、凹凸樹脂板が透水性筒状体単位で分割されていることで、透水性筒状体の長さ方向での排水効率の良好さに比べ横方向で極端に劣り、また、特許文献２の面状排水材は、蛇行状の糸状体を芯材とすることで圧縮強さが小さい等、両者共に用途的に限られるという問題を残している。
そして、これら従来の面状排水材の配設構造は、両者共に、面状排水材を連続的に隣接させて用いる場合、良好な排水性を確保するため外皮材を一度切開して芯材同士を接触させた後、その隣接接触部を再び外皮材で被覆するという非常に手間の要する作業を必要とする。
【発明の開示】
【発明が解決しようとする課題】
【０００５】
本発明は、上記従来の面状排水材の配設構造が有する問題点に鑑み、擁壁の裏面排水において、簡単な作業で縦横方向での良好な排水を可能とし、強度や耐久性等においても優れた面状排水材の配設構造を提供することを目的とする。
【課題を解決するための手段】
【０００６】
上記目的を達成するため、本発明の面状排水材の配設構造は、複数の面状排水材を擁壁に沿い連続的に配設する面状排水材の配設構造において、表面に凹凸を形成することにより連続した空隙を有する長尺帯状の合成樹脂製面状部材と、該合成樹脂製面状部材を被覆する透水シートとを備え、且つ透水シートの長尺の辺に開口部を設けるとともに、該開口部の表面側と裏面側の少なくとも一方から透水シートを外側に延設した面状排水材を用い、透水シートの開口部同士を突き合わせて面状排水材を並設するとともに、透水シートの延設部を隣接する面状排水材の透水シート上に重合することを特徴とする。
【０００７】
この場合において、前記面状排水材を、長尺の辺が横になるように配設したり、縦になるように配設することができる。
【０００８】
また、合成樹脂製面状部材の凹部の底部及び／又は凸部の頂部に貫通孔を設けることができる。
【０００９】
また、合成樹脂製面状部材を、ポリオレフィン系樹脂を主成分として形成することができる。
【００１０】
透水シートを、織布又は不織布により形成することができる。
【００１１】
透水シートの織布又は不織布を、合成樹脂繊維で形成することができる。
【発明の効果】
【００１２】
本発明の面状排水材の配設構造によれば、複数の面状排水材を擁壁に沿い連続的に配設する面状排水材の配設構造において、表面に凹凸を形成することにより連続した空隙を有する長尺帯状の合成樹脂製面状部材と、該合成樹脂製面状部材を被覆する透水シートとを備え、且つ透水シートの長尺の辺に開口部を設けるとともに、該開口部の表面側と裏面側の少なくとも一方から透水シートを外側に延設した面状排水材を用い、透水シートの開口部同士を突き合わせて面状排水材を並設するとともに、透水シートの延設部を隣接する面状排水材の透水シート上に重合することから、透水シートの開口部で合成樹脂製面状部材を直に接続し、接合部においても合成樹脂製面状部材に大きな空隙を確保して、最大限の水の流通が可能になるとともに、透水シートの延設部を隣接する面状排水材の透水シート上に重合することにより、内部空隙への土砂の流入を防止しながら、面状排水材を連続的に擁壁の裏面に配設することができる。
そして、擁壁の裏面に配設したすべての面状排水材のトータル排水量、能力は、個々の面状排水材の最大排水量、能力のトータルと略同じ数値を示すものとなり、最高の安全性が得られ、長期に亘る使用が可能となる。
【００１３】
また、前記面状排水材を、長尺の辺が横になるように配設したり、縦になるように配設することにより、上記作用効果に加え、その作業効率が大きく向上する。
【００１４】
また、合成樹脂製面状部材の凹部の底部及び／又は凸部の頂部に貫通孔を設けることにより、水の合成樹脂製面状部材の内部表裏間での迂回が減少し、その減少する迂回水量が速やかに下方に流れることになる。
【００１５】
また、合成樹脂製面状部材を、ポリオレフィン系樹脂を主成分として形成することにより、腐食することなく必要な強度や柔軟性を長期に亘って維持し、且つ、環境汚染の問題が回避することができる。
【００１６】
また、透水シートを、織布又は不織布により設けることにより、これらのグレードによって簡単に必要な透水水準や強度を選択することができ、さらに、合成樹脂繊維で形成することにより、腐食することなく必要な強度や柔軟性を長期に亘って維持することができる。
【発明を実施するための最良の形態】
【００１７】
以下、本発明の面状排水材の配設構造の実施の形態を、図面に基づいて説明する。
【実施例１】
【００１８】
図１に、本発明の面状排水材の配設構造の第１実施例を示す。
この面状排水材の配設構造は、複数の面状排水材１を擁壁４に沿い連続的に配設するもので、図２に示すように、表面に凹凸を形成することにより連続した空隙を有する長尺帯状の合成樹脂製面状部材３と、該合成樹脂製面状部材３を被覆する透水シート２とを備え、且つ透水シート２の長尺の辺に開口部１０を設けるとともに、該開口部１０の表面側と裏面側の少なくとも一方から透水シート２を外側に延設した面状排水材１を用いる。
そして、透水シート２の開口部１０同士を突き合わせて面状排水材１を並設するとともに、透水シート２の延設部２０を隣接する面状排水材１の透水シート２上に重合するようにする。
この場合、各面状排水材１は、長尺の辺が横になるように配設されており、擁壁４の裏面に下から順次設置される。
【００１９】
最上部と最下部の面状排水材１は、透水シート２の長尺の１辺に開口部１０を設けるとともに、該開口部１０の表面側又は裏面側から透水シート２を延設している。
また、中間の面状排水材１は、図３（ａ）にも示すように、透水シート２の長尺の２辺に開口部１０を設けるとともに、一方の開口部１０で表面側から透水シート２を延設するとともに、他方の開口部１０で裏面側から透水シート２を延設し、接続する面状排水材１同士で、延設部２０を接続相手の表面と裏面に相互に接合するようにしている。
なお、面状排水材１は、図３（ｂ）に示すように、１辺の開口部１０で表裏両面側から透水シート２を延設することも可能であり、これにより、延設部２０を接続相手の表面と裏面に接合することができる。
また、図３（ｃ）に示すように、面状排水材１の長さ方向端部は、巻回した長尺物を切断して面状排水材１得ることから通常は開口するが、この開口部は別途他の透水シート２で覆い土砂の流入を防止したりするので、延設部２０を設けても、また、設けなくてもよい。
本発明の場合、面状排水材１に設ける延設部２０の数とその設ける部位は、特に限定されるものでなく、隣接する面状排水材１同士の片方の延設部２０が他方の透水シート２の上に重なりさえすればよいことになる。
【００２０】
合成樹脂製面状部材３は、図２に示すように、その表面と裏面の両方にそれぞれ規則性を持たして中空で同形状の凹部３１と凸部３２が設けられており、その凹部３１の底部と凸部３２の頂部には貫通孔３０が設けられている。
この場合、表面側の凹部３１は裏面側の凸部３２となるが、合成樹脂製面状部材３に設ける貫通孔３０の位置や数は特に限定されるものではない。
また、合成樹脂製面状部材３には、耐食性が良好なことから合成樹脂が好適に使用でき、また、成形性が良好なことから熱可塑性樹脂が好まれ、中でも、汎用性の高い、ポリビニル系の塩化ビニルや酢酸ビニル等、ポリオレフィン系のポリエチレン、ポリプロピレン等、これら合成樹脂の混合体、これら合成樹脂とエチレン−酢酸ビニル等の共重合体類やエラストマ−類や変性ポリオレフィン類等のとの混合物がより好適に使用でき、公害要因が少ないことからポリオレフィン系の合成樹脂が最適に使用できることになる。また、天然、合成を問わずゴム等も使用できることは言うまでもない。
【００２１】
また、合成樹脂製面状部材３の周面に接合する透水シート２には、天然、合成を問わず繊維からなる織布や不織布が使用でき、防食性の高さから合成繊維が好適に使用できることになる。この場合、織布や不織布は厚み、強度、空隙率、価格等において、それぞれ多くの品種があり、これらは使用状況、設計に応じて適宜選択すればよいことにもなる。
【００２２】
一方、この面状排水材の配設施工は、まず擁壁４の裏面に、最下部に帯状の面状排水材１を水平に配設し、その背後に順に適宜砕石又は玉石、土砂を配設する。
次いで、２段目の帯状の面状排水材１を開口部１０同士を接触させ、且つ片方の延設部２０を他方の透水シート２の上に重ねながら水平に配設し、２段目の背後に順に適宜砕石又は玉石、土砂を配設する。
このような作業を、擁壁４の裏面の最上部まで繰り返すことで、面状排水材の配設施工が実施されることになる。
【００２３】
このように、本実施例の面状排水材の配設構造は、開口部１０に沿って開口部１０で合成樹脂製面状部材３の端部同士を直接接続できることから、この接続部においても単独の面状排水材と同等な排水量が確保でき、広い面積で複数枚を隙間なく用いる場合の排水能力の低下がなく、また、延設した透水シート２の延設部２０を接続相手先の透水シート２上に重ね接合することで、接続部への土砂の浸入を完全に防止することができる。
【００２４】
また、透水シート２の隣接する２辺に開口部１０を設けるとともに、各開口部１０の表面側と裏面側の少なくとも一方から透水シート２を延設することにより、縦横の碁盤目状の接続が可能になる。
さらに、透水シート２の対向する２辺に開口部１０を設けるとともに、各開口部１０の表面側と裏面側の少なくとも一方から透水シート２を延設することにより、縦並びや横並び等の直線状の接続が可能になる。
【００２５】
また、一方の開口部１０で表面側から透水シート２を延設するとともに、他方の開口部１０で裏面側から透水シート２を延設することにより、接続する面状排水材１同士で、延設した透水シート２を接続相手の表面と裏面に相互に接合することができる。
そして、１辺の開口部１０で表裏両面側から透水シート２を延設することにより、延設した透水シート２を接続相手の表面と裏面に接合することができる。
【００２６】
また、貫通孔３０を凹部３１の底部又は／及び凸部３２の頂部に設けることで、水の通過状態が定性化され、より面状排水材１内部の水量が均等化され、また、矩形が長尺の帯状体であれば、長尺方向での接続作業を減少させることになる。
【００２７】
また、合成樹脂製面状部材３を、ポリオレフィン系樹脂を主成分として形成することで、腐食することなく必要な強度や柔軟性を長期に亘って維持し、且つ環境汚染の問題を回避することができ、また、透水シート２が、織布又は不織布であれば、これらのグレードによって簡単に必要な透水水準や強度を選択することができる。
【００２８】
また、合成樹脂製面状部材３の片面に織布からなる透水シート２を配設するとともに、他の片面に不織布からなる透水シート２を配設し、これらの透水シート２を接合することにより、使用する状況に応じて、織布や不織布それぞれの特色を生かすことができる。
さらに、透水シート２の織布又は不織布を、合成樹脂繊維で形成することにより、透水シート２を、腐食することなく必要な強度や柔軟性を長期に亘って維持することができる等、経済的で且つ材料選択の幅が大きく広がることになる。
【００２９】
なお、上記実施例においては、擁壁４に面する側においても、透水シート２の延設部２０を隣接する面状排水材１の透水シート２上に重合するようにしたが、図４（ａ）に示す本発明の面状排水材の配設構造の第１実施例の変形例のように、内部空隙への土砂の流入のおそれのない擁壁４に面する側における透水シートの重合を省略することもできる。
この場合、例えば、最下部の面状排水材１の下端面の開口部１０を透水シート２の延設部２０により覆うようにすることにより、図４（ｂ）に示すような、透水シート２の長尺の２辺に開口部１０を設けるとともに、一方の開口部１０で表面側から透水シート２を延設するようにした１種類の面状排水材１により、排水構造を構築することができる。
【実施例２】
【００３０】
図５に、本発明の面状排水材の配設構造の第２実施例を示す。
この面状排水材の配設構造は、第１実施例と同じように、複数の面状排水材１を擁壁４に沿い連続的に配設するもので、表面に凹凸を形成することにより連続した空隙を有する長尺帯状の合成樹脂製面状部材３と、該合成樹脂製面状部材３を被覆する透水シート２とを備え、且つ透水シート２の長尺の辺に開口部１０を設けるとともに、該開口部１０の表面側と裏面側の少なくとも一方から透水シート２を外側に延設した面状排水材１を用いる。
そして、透水シート２の開口部１０同士を突き合わせて面状排水材１を並設するとともに、透水シート２の延設部２０を隣接する面状排水材１の透水シート２上に重合するようにする。
この場合、各面状排水材１は、擁壁４の裏面に、長尺の辺が縦になるように配設されている。
【００３１】
両側部の面状排水材１は、透水シート２の長尺の１辺に開口部１０を設けるとともに、該開口部１０の表面側又は裏面側から透水シート２を延設している。
また、中間の面状排水材１は、透水シート２の長尺の２辺に開口部１０を設けるとともに、一方の開口部１０で表面側から透水シート２を延設するとともに、他方の開口部１０で裏面側から透水シート２を延設し、接続する面状排水材１同士で、延設部２０を接続相手の表面と裏面に相互に接合するようにしている。
なお、この第２実施例で使用する面状排水材１のその他の構成は、第１実施例と同様となることから、その説明は省略する。
【００３２】
また、本発明の配設構造で使用する面状排水材１は、第１実施例、第２実施例共に、透水シート２の延設部２０は、必要に応じて、各辺の表面側若しくは裏面側又は両面側に設けることができるが、適宜、すべてその設計に委ねられることになり、透水、通水、耐久等の性能においても同様となる。
【００３３】
また、面状排水材１において、透水シート２と合成樹脂製面状部材３との接合手段には、接着、粘着、溶着、ビス止め、ホッチキス止め等がある。
そして、延設部２０と隣接する透水シート２との接合は、単に重ねるだけでもよく、また、上記と同様な接合手段を採用してもよい。
これらは、適宜、面状排水材１の製造設計、使用状況により決められるものとなる。
【００３４】
かくして、本実施例の面状排水材の配設構造は、複数の面状排水材１を擁壁４に沿い連続的に配設する面状排水材の配設構造において、表面に凹凸を形成することにより連続した空隙を有する長尺帯状の合成樹脂製面状部材３と、該合成樹脂製面状部材３を被覆する透水シート２とを備え、且つ透水シート２の長尺の辺に開口部１０を設けるとともに、該開口部１０の表面側と裏面側の少なくとも一方から透水シート２を外側に延設した面状排水材１を用い、透水シート２の開口部１０同士を突き合わせて面状排水材１を並設するとともに、透水シート２の延設部２０を隣接する面状排水材１の透水シート２上に重合することから、透水シート２の開口部１０で合成樹脂製面状部材３を直に接続し、接合部においても合成樹脂製面状部材３に大きな空隙を確保して、最大限の水の流通が可能になるとともに、透水シート２の延設部２０を隣接する面状排水材１の透水シート２上に重合することにより、内部空隙への土砂の流入を防止しながら、面状排水材１を連続的に擁壁４の裏面に配設することができる。
そして、擁壁４の裏面に配設したすべての面状排水材１のトータル排水量、能力は、個々の面状排水材１の最大排水量、能力のトータルと略同じ数値を示すものとなり、最高の安全性が得られ、長期に亘る使用が可能となる。
【００３５】
また、長尺の面状排水材１を、長尺の辺が横又は縦になるように配設することにより、上記作用効果に加え、その作業効率が大きく向上する。
また、合成樹脂製面状部材３の凹部３１の底部及び／又は凸部３２の頂部に貫通孔３０を設けることにより、水の合成樹脂製面状部材３の内部表裏間での迂回が減少し、その減少する迂回水量が速やかに下方に流れることになる。
また、合成樹脂製面状部材３を、ポリオレフィン系樹脂を主成分として形成することにより、腐食することなく必要な強度や柔軟性を長期に亘って維持し、且つ、環境汚染の問題が回避することができる。
また、透水シート２を、織布又は不織布により設けることにより、これらのグレードによって簡単に必要な透水水準や強度を選択することができ、さらに、合成樹脂繊維で形成することにより、腐食することなく必要な強度や柔軟性を長期に亘って維持することができる。
【００３６】
以上、本発明の面状排水材の配設構造について、その実施例に基づいて説明したが、本発明は上記実施例に記載した構成に限定されるものではなく、例えば、面状排水材の背面の延設部２０は上下で対称になってもよいなど、その趣旨を逸脱しない範囲において適宜その構成を変更することができる。
【産業上の利用可能性】
【００３７】
本発明の、面状排水材の配設構造は、地中排水が切望される平面、斜面、垂直面等において、山間部や都市部に限らずあらゆる地域で好適に用いることかできる。
【図面の簡単な説明】
【００３８】
【図１】本発明の面状排水材の配設構造の第１実施例を示す縦断面図である。
【図２】同実施例で使用する面状排水材を示し、（ａ）は一部を切り欠いた斜視図、（ｂ）は一部を切り欠いた平面図、（ｃ）は断面図である。
【図３】同実施例で使用する面状排水材を示し、（ａ）はその幅方向断面図、（ｂ）は他の例の幅方向断面図、（ｃ）は（ａ）又は（ｂ）の長さ方向断面図ある。
【図４】本発明の面状排水材の配設構造の第１実施例の変形例を示し、（ａ）は縦断面図、（ｂ）は同実施例で使用する面状排水材である。
【図５】本発明の面状排水材の配設構造の第２実施例を示し、（ａ）は正面図、（ｂ）は横断面図、（ｃ）は縦断面図である。
【符号の説明】
【００３９】
１    面状排水材
１０  開口部
２    透水シート
２０  延設部
３    合成樹脂製面状部材
３０  貫通孔
３１  合成樹脂製面状部材の凹部
３２  合成樹脂製面状部材の凸部
４    擁壁
【図１】
2006016876.tif 000003
【図２】
2006016876.tif 000004
【図３】
2006016876.tif 000005
【図４】
2006016876.tif 000006
【図５】
2006016876.tif 000007